(57)【要約】      （修正有）【課題】パレット入れ替えによる接触音を押さえた搬送方法の提供。【解決手段】両出入り口に、方向回転機を設置、エレベーターを設備し、両側に多層の車庫を設置、各階の前面にルートレール４を設置、車載エレベーターに自走台車３をセット、各階のルートレールの車庫の位置にレベルを合わせて既設の収納装置と自走台車３の収納装置との間で、複数ランナー７をクラッチ同一回転の偏芯輪５による上、前、下、後の交互運動により、車体を移送することを特徴とする。【選択図】図３
2006200335.tif 000002
【特許請求の範囲】
【請求項１】
本発明は、車の入出庫方法に縦列駐車方式を採用、「図１」、両入り口に方向転換用回転機を施設両入り口にエレベーターを設置成し、エレベーター「２」の内部に車積載、自走台車〔３」を組み込み其の自走台車に入庫車を搭載、各階に上昇移動各駐車位置に配置出来る、特徴のエレベータースライド式立体駐車装置。
【請求項２】
本発明は、各上階左右の車庫前面の任意の位置に、車積載自走台車〔３〕のスライド用のガイドレール「４」を施設、各車庫の位置に案内出来る講成、特徴の「請求項１」記載、エレベータースライド式立体駐車装置。
【請求項３】
本発明は、車積載自走台車「３」の上部に施設の搬送機〔７〕と各々の車庫内に施設の搬送機〔７〕をクラッチ連動、車積載自走台車「３」を定位置に定め駐車入庫の定位置に収める、又逆回転回動にて出庫車を自走台車に積載、エレベーターに収納成し、引渡しを完了する、特徴のエレベータースライド式立体駐車装置。
【請求項４】
本発明は、両側面の多段に設けられた駐車棚の入出庫の移動設備で、主に搬送用トレイ、パレット、等の移動がなされている現状が多大ですが、其のパレット等の移動、入れ替え時間も必要とせず、すこぶるシンプルに構成された本機は、作業員も必要とせず時間の短縮を計り各位置にリミットスイッチ等を、屈指する事により自動操作によるコスト削減を計り、安全で且つ敏速に入出庫の出来る特徴のエレベータースライド式立体駐車装置。
【請求項５】
本発明は車の移動搬送収納に対し機械的騒音がネックと成っている、問題点を解決すべく、回転軸を基本に構成し、搬送作動部に偏芯輪〔５〕を施設その外周に環状カラーリング〔６〕を施し上部に熔着の長尺桟〔７〕（以後ランナーと言う）の上方、前方、下方、後方に回転、左右交互に複数のランナー「７」の連続回転回動により、車のタイヤに密着複数のランナーの交互回転接触運動により前進後退を行うものであり、ランナー「７」はＡ，Ｂ一対を長尺桟で支える腕部「８」に連接下部偏芯輪「５」の回転動力を倍加伝達し、交互回転による円滑でシンプルで然も、静かな搬送が出来得る「請求項２」〜「請求項５」記載の特徴のエレベータースライド式立体駐車装置。
【発明の詳細な説明】
【０００１】「発明の詳細な説明」
【技術分野】本発明はエレベータースライド式立体駐車装置に関する、「図１」に記載のスライド式立体駐車装置は、左右縦列多層階収納式で概略の全体図である、入出庫用両入り口に方向転換用円形回転機を〔１〕を備えて成り、エレベーター「２」内にセットの搬送用の自走台車「３」に車を積載成しエレベーター「２」を上昇各階の前面に設施の一連の走行用スライド、ガイドレール「４」に連結、車載の自走台車〔３〕を入庫位置に定める「図２」に記載の偏芯輪「５」に「図３」記載Ａ，Ｂ一対の鳥居型セットのランナー〔７〕を回転回動の外周に溶着「図３」環状カラーリング「６」にセット、回動上部に腕部「８」を溶着成し、「図２」搬送用の長尺桟（ランナー）「７」を連結複数の（ランナー）〔７〕の交互回転反復運動にて、車体を搬送定位置に収納、スムーズに入出庫出来得る特徴のエレベータースライド式立体駐車装置。【０００２】前述記載の「図２」Ａ，Ｂ一対のランナー（７）と偏芯輪（５）とを連接の腕部（８）環状カラーリング（６）の回転駆動搬送機部「図３」拡大図で原動機の回転軸力を搬送ランナーの回転回動に、上、前、下、後の連続交互運動により移動音を発せず車を定位置に位置する、特徴のエレベータースライド式立体駐車装置を提供。
【背景技術】
【０００３】従来の多層階立体駐車場入出庫の運営状況は常に時間が掛かる傾向にあり、特にデパートメント等の車の受け入れ時間が異常なほど掛かり不満を呈している、又車の移動方法ではトレイ、パレットの仕様による移動の物が多く索引のウインチ音、パレットの回転入れ替えの移動音が激しい等又、異車種が選択され、寸法上の問題等があり入庫を拒否される場合もあった。【０００４】
【特許文献参照】
「図４」特許公開・２０００−３５２２１４
特許第２６１２４７９号広報には、格納階の循環路を構成する昇降リフトの下端側又は途中に旋回装置を設置した多層箱形循環式駐車装置が開示されている。
【発明の開示】
【発明が解決しようとする課題】
【０００５】多層階又は広大な面積の平面駐車場などでは主にトレイ、パレット等の操作による入出庫が多く見かけられます、入れ替えに掛かる時間待ちで、ビジネスに影響を与たり又、入れ替えによる騒音が起き、多大の迷惑を感じています、かかる問題を解決すべく、トレイ、パレット等を使用せず上記に記載の「図３」回転軸の回転を利用の本案は一方向の往復運動で又、水平移送の採用により従ってパレットの入れ替え等による物と物同士の接触音を押さえ、消音効果を発揮の搬送方法を提供。
【発明を解決するための手段】
【０００６】上記の課題を解決するための手段に、消音対策を充実さす必要性が重大の関心事であるが、本発明の回転軸の回転力に拠り「図２」Ａ，Ｂの偏芯輪「５」の、回転力に復数の偏芯輪〔５〕を軸化成し、其の回転の外周に「図３」環状カラーリング〔６〕を装着し腕部「８」の連接、回転の延長線上部に溶着のランナー「７」に伝達、上、前、下、後、の回転を交互に与え反復運動にてランナー「７」の繰り返し回転運動で搬送の手段を回転軸の基本に定め、しかもシンプルな構成で、物と物との接触音の発生を防止出来る特徴の、エレベータースライド式立体駐車装置を提供。
【発明を実施するための最良の形態】
【０００７】本発明は入出庫における混雑を緩和することは勿論で、騒音を発生させず、スピーデーな入れ替えを行い得ることが最大目的で、上記問題点を解決するに両入り口前に「図１」方向転換用回転機「１」を施設各階への誘導エレベーター「２」に車積載の自走台車〔３」にて搬送成し、各階の車庫表面に一連のルートレール〔４〕を施し其の位置にレベルを合わせて、車庫内に既設の収納装置〔７〕と自走台車「３」の収納装置とをクラッチ同一回転回動の偏芯輪「５」「図３」の、上、前、下、後、の回転に「図２」複数ランナー「７」の交互運動により、車体を搬送各セクションに、アタッチメントの装備により全ての部所を無人での運転が出来得る、騒音も抑制、シンプルな構成で堅牢、安全面に配慮、スムーズな入出庫が可能の特徴を有する、エレベータースライド式立体駐車装置を提供。
【産業上の利用可能性】
【０００８】本発明は回転軸の特性を採用した結果移動搬送運動に無理を生じない、従がって無駄な騒音も消し去りスムーズな搬送作業が捗ります、従来から多くに採用されているトレイ、パレット方式による、搬送操作が多く採用されているが、索引によるウインチ音リフトによる移動音、物と物との接触音等、改善の余地が充分にあると思います、本発明はコンパクトな設計機構にて立設、特に回転軸の回転力を応用のマシーンでメンテナンスをも省力化成し、比較的シンプルで且つ堅牢で故障も少ない特徴の、エレベータースライド式立体駐車装置を提供。
【図面の簡単な説明】
【０００９】
【図１】  多層階立体駐車装置の概略正面図。
【図２】  搬送機の概略の側面図。
【図３】  搬送機の回転作用図の概略拡大図。
【図４】  特許文献の参照・参考図。
【符号の説明】
１：  方向回転機
２：  エレベーター
３：  移動自走台車
４：  各階リードレール
５：  偏芯輪
６：  カラーリング
７：  搬送機（ランナー）
８：  腕部
９：  ピット
１０：  原動機
【図１】
2006200335.tif 000003
【図２】
2006200335.tif 000004
【図３】
2006200335.tif 000005
【図４】
2006200335.tif 000006